(57)【要約】【課題】  身障者専用釦を設けることなく安価に構成でき、かつ操作性が良いエレベータの運転装置を得る。【解決手段】  呼び登録装置１と、呼び登録装置に設けられた一般用及び身障者用を兼用する呼び釦２、３と、呼び登録装置に設けられ、呼び釦が押されると所定時間点滅を繰り返す身障者呼び登録灯５、６とを備え、身障者呼び登録灯の点灯時に呼び釦から手を離すと、身障者呼び釦として登録し、身障者呼び登録灯を点灯し、一方、身障者呼び登録灯の消灯時に呼び釦から手を離すと、一般呼び釦として登録し、身障者呼び登録灯を消灯する。【選択図】    図１
2005320138.tif 000002
【特許請求の範囲】
【請求項１】
呼び登録装置と、
前記呼び登録装置に設けられた一般用及び身障者用を兼用する呼び釦と、
前記呼び登録装置に設けられ、前記呼び釦が押されると所定時間点滅を繰り返す身障者呼び登録灯とを備え、
前記身障者呼び登録灯の点灯時に前記呼び釦から手を離すと、身障者呼び釦として登録し、身障者呼び登録灯を点灯し、一方、前記身障者呼び登録灯の消灯時に前記呼び釦から手を離すと、一般呼び釦として登録し、身障者呼び登録灯を消灯することを特徴とするエレベータの運転装置。
【請求項２】
身障者呼び登録灯は、ゆっくりと点滅を繰り返すことを特徴とする請求項１記載のエレベータの運転装置。
【請求項３】
身障者呼びを解除する時は、呼び釦を所定時間押し続けることにより、身障者呼びを解消して、身障者呼び登録灯を消灯することを特徴とする請求項１又は請求項２記載のエレベータの運転装置。
【請求項４】
一般呼びを解除する時は、呼び釦を所定時間内に所定回数押すことにより、一般呼びを解消して、前記呼び釦の登録灯を消灯することを特徴とする請求項１又は請求項２記載のエレベータの運転装置。
【請求項５】
一般呼び登録後に身障者呼びを登録する時は、呼び釦を所定時間押し続けることにより、身障者呼び釦として登録し、身障者呼び登録灯を点灯することを特徴とする請求項１又は請求項２記載のエレベータの運転装置。
【請求項６】
呼び登録装置と、
前記呼び登録装置に設けられた一般用及び身障者用を兼用する呼び釦と、
前記呼び登録装置に設けられ、常時点滅を繰り返す身障者呼び登録灯とを備え、
前記身障者呼び登録灯の点灯時に前記呼び釦を押すと、身障者呼び釦として登録し、身障者呼び登録灯を点灯し、一方、前記身障者呼び登録灯の消灯時に前記呼び釦を押すと、一般呼び釦として登録し、身障者呼び登録灯を消灯することを特徴とするエレベータの運転装置。
【請求項７】
呼び登録装置と、
前記呼び登録装置に設けられた一般用及び身障者用を兼用する呼び釦と、
前記呼び登録装置に設けられ、前記呼び釦が押されると所定時間後に点滅を繰り返す身障者呼び登録灯とを備え、
前記身障者呼び登録灯が点滅する迄前記呼び釦を押し続けると、身障者呼び釦として登録し、身障者呼び登録灯を点灯し、一方、前記身障者呼び登録灯が点滅する迄前記呼び釦を押し続けないと、一般呼び釦として登録し、身障者呼び登録灯を消灯することを特徴とするエレベータの運転装置。
【発明の詳細な説明】
【技術分野】
【０００１】
この発明は、一般用釦と身障者用釦を兼用させたエレベータの運転装置に関するものである。
【背景技術】
【０００２】
従来のこの種エレベータの運転装置においては、呼び登録装置に健常者用呼びか身障者用呼びかを判定する釦を設けたものが提案されている（例えば、特許文献１参照）。
【０００３】
【特許文献１】特開平１１−２６３５４１号公報
【発明の開示】
【発明が解決しようとする課題】
【０００４】
従来のエレベータの運転装置では、身障者は呼び登録装置の呼び登録釦と身障者登録釦の両方を押す必要があり、身障者に対する操作性が悪かった。また、アップ、ダウンの区別が出来ず登録状況の判別ができなかった。また、健常者（一般）呼び登録後に身障者呼びを登録する場合、身障者の人はどうして良いか判りにくいという問題があった。
【０００５】
この発明は、上述のような課題を解決するためになされたもので、身障者専用釦を設けることなく安価に構成でき、かつ操作性が良いエレベータの運転装置を提供することを目的とする。
【課題を解決するための手段】
【０００６】
この発明に係るエレベータの運転装置においては、呼び登録装置と、呼び登録装置に設けられた一般用及び身障者用を兼用する呼び釦と、呼び登録装置に設けられ、呼び釦が押されると所定時間点滅を繰り返す身障者呼び登録灯とを備え、身障者呼び登録灯の点灯時に呼び釦から手を離すと、身障者呼び釦として登録し、身障者呼び登録灯を点灯し、一方、身障者呼び登録灯の消灯時に呼び釦から手を離すと、一般呼び釦として登録し、身障者呼び登録灯を消灯するものである。
【０００７】
また、呼び登録装置と、呼び登録装置に設けられた一般用及び身障者用を兼用する呼び釦と、呼び登録装置に設けられ、常時点滅を繰り返す身障者呼び登録灯とを備え、身障者呼び登録灯の点灯時に呼び釦を押すと、身障者呼び釦として登録し、身障者呼び登録灯を点灯し、一方、身障者呼び登録灯の消灯時に呼び釦を押すと、一般呼び釦として登録し、身障者呼び登録灯を消灯するものである。
【０００８】
また、呼び登録装置と、呼び登録装置に設けられた一般用及び身障者用を兼用する呼び釦と、呼び登録装置に設けられ、呼び釦が押されると所定時間後に点滅を繰り返す身障者呼び登録灯とを備え、身障者呼び登録灯が点滅する迄呼び釦を押し続けると、身障者呼び釦として登録し、身障者呼び登録灯を点灯し、一方、身障者呼び登録灯が点滅する迄呼び釦を押し続けないと、一般呼び釦として登録し、身障者呼び登録灯を消灯するものである。  
【発明の効果】
【０００９】
この発明のエレベータの運転装置は、呼び登録装置と、呼び登録装置に設けられた一般用及び身障者用を兼用する呼び釦と、呼び登録装置に設けられ、呼び釦が押されると所定時間点滅を繰り返す身障者呼び登録灯とを備え、身障者呼び登録灯の点灯時に呼び釦から手を離すと、身障者呼び釦として登録し、身障者呼び登録灯を点灯し、一方、身障者呼び登録灯の消灯時に呼び釦から手を離すと、一般呼び釦として登録し、身障者呼び登録灯を消灯するので、身障者専用釦を設けることなく安価に構成でき、かつ操作性が良いという効果がある。
【発明を実施するための最良の形態】
【００１０】
実施の形態１．
図１はこの発明を実施するための実施の形態１におけるエレベータの運転装置の構成を示す正面図、図２はこの発明の実施の形態１におけるエレベータの運転装置の動作フローを説明するためのフローチャート、図３は身障者呼びを解除する場合の動作フローを説明するためのフローチャート、図４は健常者（一般）呼びを解除する場合の動作フローを説明するためのフローチャート、図５は健常者（一般）乗場呼び登録後に身障者乗場呼びを登録する場合の動作フローを説明するためのフローチャートである。
図１において、１はエレベータの乗場呼び登録装置、２は乗場呼び釦（アップ用）で、登録された時内部の登録灯が点灯する。３は乗場呼び釦（ダウン用）で、登録された時内部の登録灯が点灯する。４は身障者名板、５は身障者名板４の直上部に設けた身障者呼び登録灯（アップ用）、６は身障者名板４の直下部に設けた身障者呼び登録灯（ダウン用）、７は乗場呼び釦操作名板である。なお、この実施の形態１では、説明を簡単にするために乗場呼び登録装置について説明するが、かご呼び登録装置にもそのまま適用できることは言うまでも無い。
【００１１】
次に、エレベータの運転装置の動作フローについて図２により説明する。
先ず、ステップＳ１にて乗場呼び釦２又は３が押されたかどうかを判断する。乗場呼び釦２又は３が押された場合はステップＳ２に進み、対応する身障者呼び登録灯５又は６が所定時間ゆっくりと点滅する。次に、ステップＳ３に進み、ここでゆっくりと点滅中の身障者呼び登録灯５又は６の点灯時に乗場呼び釦２又は３から手を離したかどうかを判断する。身障者呼び登録灯５又は６の点灯時に手を離した場合はステップＳ４に進み、身障者乗場呼び釦として登録し、身障者呼び登録灯５又は６を点灯し、更に乗場呼び釦２又は３の内部の登録灯を点灯する。そして、ステップＳ５にてかご到着時に戸開時間を延長し、戸閉速度を遅延させる身障者運転モードで運転を行う。一方、ステップＳ３でゆっくりと点滅中の身障者呼び登録灯５又は６の消灯時に乗場呼び釦２又は３から手を離した場合又は所定時間経過後はステップＳ６に進み、健常者（一般）乗場呼び釦として登録し、身障者呼び登録灯５又は６を消灯し、更に乗場呼び釦２又は３の内部の登録灯を点灯する。そして、ステップＳ７にてかご到着時に戸開時間を短縮し、戸閉速度を遅延させない健常者（一般）運転モードで運転を行う。
【００１２】
次に、身障者呼びを解除する場合の動作フローについて図３により説明する。
先ず、ステップＳ１１にて該当する乗場呼び釦２又は３を所定時間押し続けたかどうかを判断する。該当する乗場呼び釦２又は３を所定時間押し続けた場合は、ステップＳ１２に進み、身障者乗場呼びを解消して、身障者呼び登録灯５又は６を消灯し、乗場呼び釦２又は３の登録灯はそのまま点灯され、ステップＳ１３にて健常者（一般）運転モードで運転する。一方、ステップＳ１１で該当する乗場呼び釦２又は３が所定時間押し続けられない場合は、ステップＳ１４で身障者運転モードの運転を継続する。
【００１３】
次に、健常者（一般）呼びを解除する場合の動作フローについて図４により説明する。
先ず、ステップＳ２１にて該当する乗場呼び釦２又は３を所定時間内に所定回数（例えば２回）押したかどうかを判断する。押された場合は、ステップＳ２２に進み、健常者（一般）乗場呼びを解消して、乗場呼び釦２又は３の登録灯を消灯し、乗場呼びによる運転を中止する。一方、ステップＳ２１で該当する乗場呼び釦２又は３が所定時間内に所定回数押されない場合は、ステップＳ２３で健常者（一般）運転モードの運転を継続する。
【００１４】
次に、健常者（一般）乗場呼び登録後に身障者乗場呼びを登録する場合の動作フローについて図５により説明する。
先ず、ステップＳ３１にて該当する乗場呼び釦２又は３を所定時間押し続けたかどうかを判断する。該当する乗場呼び釦２又は３を所定時間押し続けた場合は、ステップＳ３２に進み、身障者乗場呼び釦として登録して、身障者呼び登録灯５又は６を点灯し、乗場呼び釦２又は３の登録灯はそのまま点灯され、ステップＳ３２にて身障者運転モードで運転する。一方、ステップＳ３１で該当する乗場呼び釦２又は３が所定時間押し続けられない場合は、ステップＳ３４で健常者（一般）運転モードの運転を継続する。
【００１５】
実施の形態２．
図６はこの発明の実施の形態２におけるエレベータの運転装置の動作フローを説明するためのフローチャートである。なお、エレベータの運転装置の構成は図１と同様である。
図６により、エレベータの運転装置の動作フローについて説明する。
先ず、ステップＳ４１にて身障者呼び登録灯５又は６を常時点滅状態としておく。次にステップＳ４２に進み、ここで点滅中の身障者呼び登録灯５又は６が点灯している時に乗場呼び釦２又は３を押したかどうかを判断する。身障者呼び登録灯５又は６が点灯している時に押した場合はステップＳ４３に進み、身障者乗場呼び釦として登録し、身障者呼び登録灯５又は６を点灯し、更に乗場呼び釦２又は３の登録灯を点灯する。そして、ステップＳ４４にてかご到着時に戸開時間を延長し、戸閉速度を遅延させる身障者運転モードで運転を行う。また、ステップＳ４２で点滅中の身障者呼び登録灯５又は６が消灯している時に乗場呼び釦２又は３を押した場合はステップＳ４５に進み、健常者（一般）乗場呼び釦として登録し、身障者呼び登録灯５又は６を消灯し、更に乗場呼び釦２又は３の登録灯を点灯する。そして、ステップＳ４６にてかご到着時に戸開時間を短縮し、戸閉速度を遅延させない健常者（一般）運転モードで運転を行う。
【００１６】
実施の形態３．
図７はこの発明の実施の形態３におけるエレベータの運転装置の動作フローを説明するためのフローチャートである。なお、エレベータの運転装置の構成は図１と同様である。
図７により、エレベータの運転装置の動作フローについて説明する。
先ず、ステップＳ５１にて身障者呼び登録灯５又は６が点滅する迄の所定時間、乗場呼び釦２又は３を押し続けたどうかを判断する。押し続けたと判断した場合はステップＳ５２に進み、身障者乗場呼び釦として登録し、身障者呼び登録灯５又は６を点灯し、更に乗場呼び釦２又は３の登録灯を点灯する。そして、ステップＳ５３にてかご到着時に戸開時間を延長し、戸閉速度を遅延させる身障者運転モードで運転を行う。また、ステップＳ５１で押し続けられていないと判断した場合は、ステップＳ５４に進み、健常者（一般）乗場呼び釦として登録し、身障者呼び登録灯５又は６を消灯し、更に乗場呼び釦２又は３の登録灯を点灯する。そして、ステップＳ５５にてかご到着時に戸開時間を短縮し、戸閉速度を遅延させない健常者（一般）運転モードで運転を行う。
【図面の簡単な説明】
【００１７】
【図１】この発明の実施の形態１におけるエレベータの運転装置の構成を示す正面図である。
【図２】この発明の実施の形態１におけるエレベータの運転装置の動作フローを説明するためのフローチャートである。
【図３】身障者呼びを解除する場合の動作フローを説明するためのフローチャートである。
【図４】健常者呼びを解除する場合の動作フローを説明するためのフローチャートである。
【図５】一般乗場呼び登録後に身障者乗場呼びを登録する場合の動作フローを説明するためのフローチャートである。
【図６】この発明の実施の形態２におけるエレベータの運転装置の動作フローを説明するためのフローチャートである。
【図７】この発明の実施の形態３におけるエレベータの運転装置の動作フローを説明するためのフローチャートである。
【符号の説明】
【００１８】
１  乗場呼び登録装置
２  乗場呼び釦（アップ用）
３  乗場呼び釦（ダウン用）
４  身障者名板
５  身障者呼び登録灯（アップ用）
６  身障者呼び登録灯（ダウン用）
７  乗場呼び釦操作名板    
【図１】
2005320138.tif 000003
【図２】
2005320138.tif 000004
【図３】
2005320138.tif 000005
【図４】
2005320138.tif 000006
【図５】
2005320138.tif 000007
【図６】
2005320138.tif 000008
【図７】
2005320138.tif 000009